(57)【要約】【課題】            従来、段ボール箱のように、容器本体の開口部の蓋パネルを閉じて開閉縁辺部を互いにテープ等の閉蓋手段で固定した包装用箱において、開封摘み用の開封フラップ部を前記蓋パネルの中央部に設けてなる包装用箱は知られているが、中央で開いた場合は、両側に向かって蓋体を切り開いて行かなければならないから、切り開く力が二倍かかることになり、なかなか困難である。【解決手段】        本発明は、閉蓋状態で蓋体９の開閉縁辺部３ａ，３ｂを開口部を形成する側パネル５，６上に閉蓋手段２８により固定するようになした包装用箱において、前記開閉縁辺部の角端部に突出する開封用掴み部３０を、前記閉蓋手段２８から離脱する位置に延設してなる包装用箱。【選択図】            図１
2005231630.tif 000002
【特許請求の範囲】
【請求項１】
閉蓋状態で蓋体の開閉縁辺部を開口部を形成する側パネル上に閉蓋手段により固定するようになした包装用箱において、前記開閉縁辺部の角端部に突出する開封用掴み部を、前記閉蓋手段から離脱する位置に延設してなる包装用箱。
【請求項２】
請求項１に記載の包装用箱において、閉蓋状態で、蓋体の開閉縁辺部の先端部が互いに対面すると共に、蓋体の一方に設けた開封用掴み部が対面する他方の蓋体上に重なるようになした包装用箱。
【請求項３】
請求項１に記載の包装用箱において、閉蓋状態で、開封用掴み部を設けてある一方の蓋体の開閉縁辺部が、対面する他方の蓋体の上に重なるようになした包装用箱。
【請求項４】
請求項１乃至３に記載の包装用箱において、該包装用箱を展開した箱展開シートの前記開封用掴み部が、隣接する同形状の他の箱の前記展開シートの蓋体縁部を切り欠いて成形してなる包装用箱。
【請求項５】
請求項１に記載の包装用箱において、閉蓋状態で、前記開閉縁辺部に設けた前記開封用掴み部を、前記側パネル上に重なるように設けてなる包装用箱。
【請求項６】
請求項５に記載の包装用箱において、該包装用箱を展開した箱展開シートの前記開封用掴み部が、隣接する内蓋体の蓋体縁部を切り欠いて成形してなる包装用箱。
【請求項７】
請求項６に記載の包装用箱において、前記開封用掴み部を屈曲した形状に隣接する内蓋体の蓋体縁部を切り欠いて成形してなる包装用箱。
【請求項８】
請求項１乃至７に記載の包装用箱において、前記開封用掴み部の形状が長方形である包装用箱。
【請求項９】
請求項１乃至８に記載の包装用箱において、前記開封用掴み部の角部形状が曲線状である包装用箱。
【請求項１０】
請求項１乃至９に記載の包装用箱において、前記閉蓋手段がテープ、糊又はステイプル等からなる包装用箱。
【発明の詳細な説明】
【技術分野】
【０００１】
本発明は、開封用摘み部を有する包装用箱に関する。
【背景技術】
【０００２】
従来、段ボール箱のように、容器本体の開口部の対向する辺に一対の蓋パネルを連設し、当該蓋パネルを閉じて開閉縁辺部を互いにテープ等の閉蓋手段で固定した包装用箱において、開封摘み用の開封フラップ部を前記蓋パネルの中央部に設けてなる包装用箱は知られている（例えば、特許文献１参照。）。
【０００３】
【特許文献１】特許第３２０００４０号公報
【発明の開示】
【発明が解決しようとする課題】
【０００４】
しかし、蓋体の中央部に本来的に蓋体の一部として設けた開封切取部は開封することが困難な状態であるから、容易に切り取ることができるように相当に脆弱な切込を蓋体に施して設けた開封切取部である必要があり、前記従来例では、親指を容易に押し込んで切取フラップを形成することができる親指フラップと、中間フラップと最終フラップに分けて開封切取部を設けることによって、蓋体としての強度と、開封容易性とを両立させている。
【０００５】
しかし、中央で開いた場合は、両側に向かって蓋体を切り開いて行かなければならないから、切り開く力が二倍かかることになり、なかなか困難である。また、開封切取部を取り除くと、この取り除いた部分が開口部となり、再度、箱を利用した際には、この蓋体に開いた開口部から箱内部にホコリ等の異物、及び太陽、照明等の光が入り、食品類等の内容物の保存状態を悪化させる問題があり、一度、使用した箱を再利用することには難があった。
また、蓋体の中央部に設けてある開封切取を取り除いてから、蓋体の中央部から両端側に二方向に向かって蓋を開けていく開封作業を行うため開封作業に労力がかかる課題があった。
【課題を解決するための手段】
【０００６】
そこで本発明は、特許請求の範囲の請求項１に記載のように、閉蓋状態で蓋体の開閉縁辺部を開口部を形成する側パネル上に閉蓋手段により固定するようになした包装用箱において、前記開閉縁辺部の角端部に突出する開封用掴み部を、前記閉蓋手段から離脱する位置に延設してなる包装用箱を提供するものである。
また、本発明は、請求項２に記載のように、請求項１に記載の包装用箱において、閉蓋状態で、蓋体の開閉縁辺部の先端部が互いに対面すると共に、蓋体の一方に設けた開封用掴み部が対面する他方の蓋体上に重なるようになした包装用箱を提供するものである。
【０００７】
また、本発明は、請求項３に記載のように、請求項１に記載の包装用箱において、閉蓋状態で、開封用掴み部を設けてある一方の蓋体の開閉縁辺部が、対面する他方の蓋体の上に重なるようになした包装用箱を提供するものである。
また、本発明は、請求項４に記載のように、請求項１乃至３に記載の包装用箱において、該包装用箱を展開した箱展開シートの前記開封用掴み部が、隣接する同形状の他の箱の前記展開シートの蓋体縁部を切り欠いて成形してなる包装用箱を提供するものである。
【０００８】
また、本発明は、請求項５に記載のように、請求項１に記載の包装用箱において、閉蓋状態で、前記開閉縁辺部に設けた前記開封用掴み部を、前記側パネル上に重なるように設けてなる包装用箱を提供するものである。
また、本発明は、請求項６に記載のように、請求項５に記載の包装用箱において、該包装用箱を展開した箱展開シートの前記開封用掴み部が、隣接する内蓋体の蓋体縁部を切り欠いて成形してなる包装用箱を提供するものである。
また、本発明は、請求項７に記載のように、請求項６に記載の包装用箱において、前記開封用掴み部を屈曲した形状に隣接する内蓋体の蓋体縁部を切り欠いて成形してなる包装用箱を提供するものである。
【０００９】
また、本発明は、請求項８に記載のように、請求項１乃至７に記載の包装用箱において、前記開封用掴み部の形状が長方形である包装用箱を提供するものである。
また、本発明は、請求項９に記載のように、請求項１乃至８に記載の包装用箱において、前記開封用掴み部の角部形状が曲線状である包装用箱を提供するものである。
また、本発明は、請求項１０に記載のように、請求項１乃至９に記載の包装用箱において、前記閉蓋手段がテープ、糊又はステイプル等からなる包装用箱を提供するものである。
また、本発明の包装用箱は、紙製の箱に限定されるものではなく、プラスチック製箱等、種々の材質の箱について実施することができるものである。
【発明の効果】
【００１０】
本発明に係る包装用箱によれば、請求項１に記載のように、閉蓋状態で蓋体の開閉縁辺部を開口部を形成する側パネル上に閉蓋手段により固定するようになした包装用箱において、前記開閉縁辺部の角端部に突出する開封用掴み部を、前記閉蓋手段から離脱する位置に延設してなる構成を有することにより、蓋体を閉蓋手段で閉じた状態で開閉縁辺部の角端部に延設した開封用掴み部が閉蓋手段から離脱した位置に露出した状態にあるから、開封掴み部を手で容易に掴むことができ、そのまま引き上げることで、前記開閉縁辺部の角端部から閉蓋手段を剥離又は取り外すことができ、この剥離又は取り外した蓋体の開閉縁辺部の一方の角端部から他方の角端部に向かって閉蓋手段を順次に取り外していくことで、蓋体を容易且つ迅速に開封することができる効果がある。
【００１１】
このとき、開閉縁辺部の中央部から両端側に二方向に向かって閉じた蓋を開く場合と比べ、開閉縁辺部の角端部から他端側に向かって一方向に蓋体を開いていくことができるから、開封作業に必要な力を半分に低減することができ、また、開封作業の際に開封用掴み部の一部が千切れたとしても蓋体の開閉縁辺部が破損する恐れがないから、開封後においても再び包装用箱として安心して利用することができる効果がある。
【００１２】
また、本発明は、請求項２に記載のように、請求項１に記載の包装用箱において、閉蓋状態で、蓋体の開閉縁辺部の先端部が互いに対面すると共に、蓋体の一方に設けた開封用掴み部が対面する他方の蓋体上に重なるようになした構成を有することにより、閉蓋状態で前記蓋体の開閉縁辺部の先端部が互いに対面し、蓋体の一方に設けた開封用掴み部が、対面する他方の蓋体上に乗り上げて重なるから、蓋上で開封用掴み部を容易に掴むことができ、開閉縁辺部の開蓋作業を迅速に行うことができると共に、蓋体を閉じる場合に開封用掴み部の位置に関わりなく自由に閉蓋作業を行うことができる効果がある。
【００１３】
また、本発明は、請求項３に記載のように、請求項１に記載の包装用箱において、閉蓋状態で、開封用掴み部を設けてある一方の蓋体の開閉縁辺部が、対面する他方の蓋体の上に重なるようになした構成を有することにより、開封用掴み部を設けてある前記開閉縁辺部の先端部が、対面する他の蓋体上に重なるから、確実に閉蓋状態を得ることができ、開封用掴み部により容易に開閉縁辺部の開蓋作業を行うことができる効果がある。
【００１４】
また、本発明は、請求項４に記載のように、請求項１乃至３に記載の包装用箱において、該包装用箱を展開した箱展開シートの前記開封用掴み部が、隣接する同形状の他の箱の前記展開シートの蓋体縁部を切り欠いて成形してなる構成を有することにより、開封用掴み部が隣接する箱の蓋体縁部に該開封用掴み部に相当する切り欠きを作ることとなるが、その場所と大きさの蓋体縁部に与える影響は微細であるから、合理的に本発明に係る包装用箱の展開シートを切り出すことができる効果がある。
【００１５】
また、本発明は、請求項５に記載のように、請求項１に記載の包装用箱において、閉蓋状態で、前記開閉縁辺部に設けた前記開封用掴み部を、前記側パネル上に重なるように設けてなる構成を有することにより、閉蓋状態で、前記開閉縁辺部に設けた前記開封用掴み部が、蓋体表面に突出しない側パネルに重なるように設けてあるので、平坦な蓋体の上面に他の箱等を整然と容易に積み重ねることができる効果がある。
【００１６】
また、本発明は、請求項６に記載のように、請求項５に記載の包装用箱において、該包装用箱を展開した箱展開シートの前記開封用掴み部が、隣接する内蓋体の蓋体縁部を切り欠いて成形してなる構成を有することにより、開封用掴み部が隣接する内蓋体の蓋体縁部に該開封用掴み部に相当する切り欠きを作ることとなるが、その場所と大きさの内蓋体縁部に与える影響は微細であるから、合理的に本発明に係る包装用箱の展開シートを切り出すことができる効果がある。
【００１７】
また、本発明は、請求項７に記載のように、請求項６に記載の包装用箱において、前記開封用掴み部を屈曲した形状に隣接する内蓋体の蓋体縁部を切り欠いて成形してなる構成を有することにより、開封用掴み部が、側パネル上に屈曲して位置するから、開閉縁辺部に沿って開封用掴み部を閉蓋手段で側パネルに固定したときに、屈曲した開封用掴み部の屈曲先端部を閉蓋手段から離脱させることができ、容易に開封用掴み部を把持して開封することができる効果がある。
【００１８】
また、本発明は、請求項８に記載のように、請求項１乃至７に記載の包装用箱において、前記開封用掴み部の形状が長方形である構成を有することにより、長方形の開封用掴み部を容易に掴むことができ、開閉縁辺部の開蓋作業を迅速に行うことができる効果がある。
また、本発明は、請求項９に記載のように、請求項１乃至８に記載の包装用箱において、前記開封用掴み部の角部形状が曲線状である構成を有することにより、開封用掴み部の角部で指先を傷めることなく、開閉縁辺部の閉蓋又は開蓋作業を安全且つ円滑に行うことができる効果がある。
【００１９】
また、本発明は、請求項１０に記載のように、請求項１乃至９に記載の包装用箱において、前記閉蓋手段がテープ、糊又はステイプル等からなる構成を有することにより、閉蓋手段が、テープ、糊又はステイプル等からなるので、容易且つ迅速に開閉縁辺部の閉蓋又は開蓋作業を行うことができる効果がある。
【発明を実施するための最良の形態】
【００２０】
以下図示する実施例により、本発明に係る包装用箱の実施の形態を説明する。
図１、図３及び図６に記載の実施例の場合、１０は、本発明に係る包装用箱であり、それぞれ図４及び図７に示すような１枚の展開シート１から組み立てることができる。
【００２１】
上記の実施例では、展開シート１の中央部に位置して包装用箱１０の４つの側面を形成する側パネル４、５、６、７を連設してあり、包装用箱１０を組み立てる際には、側パネル４、５、６、７を図に破線で示した折り代２０、２１、２２、２３に沿って内側に折り、側パネル４の左端部に設けた接合部８に、テープ、接着糊又はステイプル等の固定手段を用いて、側パネル７の右端部の内側又は外側を固着して箱体胴部を成形するように構成してある。
【００２２】
また、上記の実施例の場合、側パネル４、５、６、７の下辺には、包装用箱１０の底体２を構成する底パネル１４、１５、１６、１７を連設してあり、包装用箱１０を組み立てる際に、底パネル１４、１５、１６、１７を図に破線で示した折り代３１、３２、３３、３４に沿って、底パネル１４、１６が底パネル１５、１７の内側になるように折り、テープ、接着糊又はステイプル等の固定手段を用いて包装用箱１０の底面を成形するように構成してある。
【００２３】
一方、側パネル４、５、６、７の上辺には、包装用箱１０の蓋体９、１２及びその内蓋１１、１３を連設してあり、これらを図に破線で示した折り代２４、２５、２６、２７に沿って折り、閉じ状態で互いに当接する蓋体９、１２の開閉縁辺部３ａ，３ｂを、テープ、接着糊又はステイプル等の閉蓋手段により固定し、蓋体を閉蓋状態にすることができるように構成してある。
そして、少なくとも一方の蓋体の開閉縁辺部３ａ，３ｂの角端部には、本発明に係る開封用摘み部が開閉手段から離脱する位置にまで突出して延設してある。
【００２４】
図１又は図２に記載の実施例の場合、蓋体９の開閉縁辺部３ａの角端部には、長方形状の開封用摘み部３０が開閉縁辺部３ａから外側に突出して設けてある。
この開封用摘み部３０は、図１又は図２に記載のように、閉蓋状態で、一方の蓋体９の開閉縁辺部３ａの先端角部から突出して、対面する他方の蓋体１２の開閉縁辺部３ｂ上に重なり、その先端部が図１で破線で記載のように、テープ、接着糊又はステイプルからなる閉蓋手段２８の固定範囲の外側にまで位置するように延設してある。
【００２５】
この実施例において、閉蓋状態で、開封用掴み部３０は、図１に記載のように、他方の蓋体１２の開閉縁辺部３ｂに乗り上げて浮き上がる状態であるから、開封用摘み部３０を持って持ち上げることにより、蓋体９の開閉縁辺部３ａを、その一端部側から他端部側に向かって容易に引き上げながら開いていくことができることとなる。
【００２６】
次に、図３乃至図５に記載の実施例の場合、開封用摘み部４０は、図３又は図５に記載のように、閉蓋状態で、蓋体１２の開閉縁辺部３ｂの先端角部から側方に突出して、対面する他方の蓋体９ではなく、側パネル５上に重なり、その先端部が図３で破線で記載のように、テープ、接着糊又はステイプルからなる閉蓋手段３５の固定範囲の外側にまで位置するように延設してある。この実施例の場合、開封用掴み部４０は屈曲して設けてあり、その屈曲先端部を蓋体１２の開閉縁辺部３ｂに沿って設けた閉蓋手段３５から離脱させることができ、容易に開封用掴み部４０を把持して開封することができるように構成してある。
【００２７】
図４に記載のように、包装用箱１０を展開した箱展開シート１において、前記開封用掴み部４０は、隣接する内蓋体１１の蓋体縁部を切り欠いて成形してあり、開封用掴み部４０が隣接する内蓋体１１の蓋体縁部に該開封用掴み部４０に相当する切り欠３６を作ることとなるがは、その場所と大きさの内蓋体１１の縁部に与える影響は微細である。
【００２８】
次に、図６ａ乃至図８に記載の実施例の場合、開封用摘み部５０は、図６ａ、図６ｂ又は図８に記載のように、閉蓋状態で、蓋体１２の開閉縁辺部３ｂの先端角部から側方に突出して、対面する他方の蓋体９ではなく、側パネル５上に重なり、その先端部が図６ａで破線で記載のように、テープ、接着糊又はステイプルからなる閉蓋手段３７の固定範囲の外側にまで位置するように延設してある。この実施例の場合、開封用掴み部５０は蓋体１２の開閉縁辺部３ｂに沿って設けた閉蓋手段３７から離脱させて設けてあり、容易に開封用掴み部５０を把持して開封することができるように構成してある。
【００２９】
また、図６ｂに記載のように、開封用摘み部５０の蓋体１２から突出して側パネル５上に重なる折り曲げ部に切込５０ａを施して、その上から閉蓋手段としてテープ３７ａを固着した場合には、開封用摘み部５０を把持して開封するとき、切込５０ａにより切り離された開封用摘み部５０によりテープ３７ａを開閉縁辺部３ａ，３ｂに沿って一端部から他端部に向かって容易に円滑、迅速に取り剥がすことができる。
なお、図示の実施例では、開封用摘み部５０の形状は長方形形状であるが、他の種々の形状大きさに形成することができることは勿論である。
【００３０】
図７に記載のように、包装用箱１０を展開した箱展開シート１において、前記開封用掴み部５０は、隣接する内蓋体１１の蓋体縁部を切り欠いて成形してあり、開封用掴み部５０が隣接する内蓋体１１の蓋体縁部に該開封用掴み部５０に相当する切り欠３６を作ることとなるが、その場所と大きさの内蓋体１１の縁部に与える影響は微細である。
また、本発明において、上記の包装用箱において、前記開封用掴み部３０，４０，５０の角部形状を曲線状に滑らかな形状にすることにより、開封用掴み部の角部で指先を傷めることなく、開閉縁辺部の閉蓋又は開蓋作業を安全且つ円滑に行うことができる。
【図面の簡単な説明】
【００３１】
【図１】本発明包装用箱の一実施例の一使用態様を示す概略斜視図。
【図２】その実施例の概略斜視説明図。
【図３】本発明包装用箱の一実施例の一使用態様を示す概略斜視図。
【図４】その実施例の展開シートを示す概略平面図。
【図５】その実施例の概略斜視説明図。
【図６ａ】本発明包装用箱の一実施例の一使用態様を示す概略斜視図。
【図６ｂ】その実施例の他の使用態様を示す概略斜視図。
【図７】その実施例の展開シートを示す概略平面図。
【図８】その実施例の概略斜視説明図。
【符号の説明】
【００３２】
１    展開シート
２    底体
３ａ、３ｂ    開閉縁辺部
４    側パネル
５    側パネル
６    側パネル
７    側パネル
８    接合部
９    蓋体
１０  包装用箱
１１  内蓋
１２  蓋体
１３  内蓋
１４  底パネル
１５  底パネル
１６  底パネル
１７  底パネル
【００３３】
２０  折り代
２１  折り代
２２  折り代
２３  折り代
２４  折り代
２５  折り代
２６  折り代
２７  折り代
２８  閉蓋手段
２９  切り欠
３０  開封用摘み部
３１  折り代
３２  折り代
３３  折り代
３４  折り代
３５  閉蓋手段
３６  切り欠
３７  閉蓋手段
４０  開封用摘み部
５０  開封用摘み部
【図１】
2005231630.tif 000003
【図２】
2005231630.tif 000004
【図３】
2005231630.tif 000005
【図４】
2005231630.tif 000006
【図５】
2005231630.tif 000007
【図６ａ】
2005231630.tif 000008
【図６ｂ】
2005231630.tif 000009
【図７】
2005231630.tif 000010
【図８】
2005231630.tif 000011